(57)【要約】【課題】  エスカレータの欄干横傾斜部など、エスカレータ周りの美観を損なうことがない場所に表示装置を取り付けさせて、エスカレータの各利用者に、行き先経路を知らせ、利用者の利便性を飛躍的に向上させる。【解決手段】  行き先登録装置１２、利用者端末装置１５などによって、利用者が携帯している無線カード２の識別コードと、行き先情報とを取り込ませて、表示制御装置１０に登録させ、利用者がエスカレータ３に乗っているとき、表示制御装置１０によって、登録されている識別コード、案内情報をアクセスさせて、利用者が携帯している無線カード２の識別コードに対応する案内情報を選択させ、欄干横傾斜部６に設けられた、折り曲げ自在な有機ＥＬディスプレイ３１を持つ多数の表示装置７と、天井から吊された表示装置９とに案内情報を表示させる。【選択図】図１
2006082945.tif 000002
【特許請求の範囲】
【請求項１】
乗客コンベアの近傍、または欄干横傾斜部に取り付けられる表示装置と、
乗客コンベアの利用者の行き先に応じた案内情報を前記表示装置に表示させる表示制御装置と、
を備えたことを特徴とする誘導案内システム。
【請求項２】
請求項１に記載の誘導案内システムにおいて、
前記表示装置は、折り曲げ自在な有機ＥＬディスプレイを用いて前記利用者に対する案内情報を表示する、
ことを特徴とする誘導案内システム。
【請求項３】
請求項１または２に記載の誘導案内システムにおいて、
前記乗客コンベア各部に設けられ、前記利用者が携帯する無線カードを検出する無線カード検出部を備え、
前記表示制御装置は、前記無線カード検出部で検出されたデータから利用者の位置を認識し、この認識結果に基づき、前記利用者の位置に応じた表示装置を選択して前記利用者に対する案内情報を表示させる、
ことを特徴とする誘導案内システム。
【請求項４】
請求項１乃至３のいずれか１項に記載の誘導案内システムにおいて、
前記表示制御装置は、前記乗客コンベアを含む所定エリア内の行き先登録装置に登録された前記利用者の行き先情報を取り込み、前記無線カード検出部により利用者が携帯する無線カードが検出されて前記利用者の位置が認識されたとき、その認識結果と登録されている前記利用者の行き先情報とに基づき、前記利用者の位置に応じた表示装置を選択して前記利用者に対する最適な案内情報を表示させる、
ことを特徴とする誘導案内システム。
【請求項５】
請求項１乃至４のいずれか１項に記載の誘導案内システムにおいて、
前記表示制御装置は、前記行き先登録装置に前記利用者の行き先情報が入力されたとき、ＬＡＮを介して前記行き先情報を取り込む、
ことを特徴とする誘導案内システム。
【請求項６】
請求項１乃至４のいずれか１項に記載の誘導案内システムにおいて、
前記表示制御装置は、インターネット回線を介して、利用者側の利用者端末装置から入力された行き先情報を取り込み、前記乗客コンベア各部に設けられた前記無線カード検出部によって、前記利用者が携帯する無線カードが検出されて前記利用者の位置が認識されたとき、認識結果と登録されている前記利用者の行き先情報とに基づき、前記利用者の位置に応じた表示装置を選択して前記利用者に対する最適な案内情報を表示させる、
ことを特徴とする誘導案内システム。
【請求項７】
請求項１乃至６のいずれか１項に記載の誘導案内システムにおいて、
前記表示制御装置は、予め設定されている時刻になる毎に、または予め設定されている期間が経過する毎に、前記各表示装置に表示される案内情報、または広告情報を更新する、
ことを特徴とする誘導案内システム。
【請求項８】
請求項１乃至７のいずれか１項に記載の誘導案内システムにおいて、
前記表示制御装置は、前記利用者の位置に応じて、前記各表示装置に案内情報、または広告情報のいずれかを選択的に表示させる、
ことを特徴とする誘導案内システム。
【請求項９】
請求項１乃至８のいずれか１項に記載の誘導案内システムにおいて、
前記表示制御装置は、前記利用者端末装置、または前記行き先登録装置から入力された待ち合わせ者情報を取り込み、前記乗客コンベア各部に設けられた前記無線カード検出部によって、前記利用者が携帯する前記無線カードが検出されて前記利用者の位置が認識されるとともに、前記待ち合わせ者情報で指示された待ち合わせ者が携帯する無線カードが検出されて前記待ち合わせ者の位置が認識されているとき、これらの各認識結果に基づき、前記各表示装置のうち、前記利用者の位置に応じた表示装置を選択して、前記利用者に対し、前記待ち合わせ者までの最適な経路を案内情報を表示させる、
ことを特徴とする誘導案内システム。
【発明の詳細な説明】
【技術分野】
【０００１】
本発明は、エスカレータに代表される乗客コンベアの利用者などに案内情報などを効果的に提供する誘導案内システムに関する。
【背景技術】
【０００２】
近年、都市集中化に伴い、地下鉄などの交通機関も、地下深くに設置されて、地下鉄のホームと、地下鉄の出入り口との距離が長くなるとともに、各路線が集中してホームなども広くなっている。このため、いろいろな場所に乗り継ぎ経路情報などを含む看板（案内板）を掲示して、利用者を案内するようにしている。
【０００３】
また、地下鉄などの交通機関では、案内板のみならず、広告用の看板を設置して、利用者に商品の内容などを知らせるようにしている。
【０００４】
この際、広告効果が高い、人目につきやすい場所では、極めて短期間、例えば１日毎、また場所によっては朝、夕方毎に、広告を取り換えて、一定の期間内に、たくさんの商品内容を知らせるようにしている。
【特許文献１】特開２００３−２１２４６８号
【発明の開示】
【発明が解決しようとする課題】
【０００５】
ところで、地下鉄などの交通機関では、年々、ホームと出入り口との距離が長くなり、またホーム自体も広くされていることから、利用者が車両からホームに降りたとき、どのようにして目的の場所まで行ったらよいのか迷うことが多い。
【０００６】
このため、複数の出入り口が設けられているホームには、各出入り口に対する案内板が掲示されていることが多く、これらの案内板の内容を確認して、目的の出入り口に通じるエスカレータを乗り継ぎ、目的の出入り口から地下鉄の外に出るようにしている。
【０００７】
しかし、案内板は、美観あるいは表示スペースなどの関係から、エスカレータを降りた場所のすぐ目の前に設置されていることは少なく、利用者はエスカレータを降りた後、周囲を良く見渡して、案内板などを見つけ出さなければならない。
【０００８】
また、複数のエスカレータを乗り継いで行く場合、途中で、枝分かれしていることもあり、そのたびに、付近に掲示された案内板まで足を運んで確認する必要があり、煩わしいという問題があった。
【０００９】
さらに、表示スペースの関係上、これらの案内板には、各利用者の目的場所までの経路を詳細に記載することができないことから、利用者が目的の出入り口に通じるエスカレータに到達しても、案内板を見ただけでは、利用者の目の前にあるエスカレータが目的の出入り口に通じているかどうか判断できない場合が多い。
【００１０】
特に、お年寄りや体が不自由な利用者は、目的地まで行くには、どの出入り口に出ればよいか、そのためには、どのエスカレータを利用すべきかなど、判断するのがはなはだ困難であるという問題があった。
【００１１】
一方、近年では、小型モニタを用いて、電気的にデータを更新するだけで、簡単に表示内容を変えるものもある。しかし、小型モニタとして通常利用される液晶ディスプレイは、液晶層をガラス基板で挟持するという構造を持つため、装置自体を折り曲げることができず、またある程度の表示領域を確保しようとすると、装置自体が重くなる。したがって、エスカレータの昇降路に設置するには、確実に固定できる壁面などに限られ、最も見やすい位置である欄干の外側にある傾斜スペースや天井などから吊り下げて設置するということができないという問題があった。
【００１２】
本発明は上記の事情に鑑み、エスカレータ周りの美観を損なうことなく、エスカレータの各利用者に、行き先経路を知らせて、利用者の利便性を飛躍的に向上させることができる誘導案内システムを提供することを目的としている。
【課題を解決するための手段】
【００１３】
上記の目的を達成するために本発明は、乗客コンベアの近傍、または欄干横傾斜部に取り付けられる表示装置と、乗客コンベアの利用者の行き先に応じた案内情報を前記表示装置に表示させる表示制御装置とを備えたことを特徴としている。
【発明の効果】
【００１４】
本発明の誘導案内システムによれば、エスカレータ周りの美観を損なうことなく、エスカレータの各利用者に、行き先経路を知らせて、利用者の利便性を飛躍的に向上させることができる。
【発明を実施するための最良の形態】
【００１５】
《実施形態の説明》
図１は本発明による誘導案内システムの一実施形態を示す概略構成図である。
【００１６】
この図に示す誘導案内システム１は、利用者によって携帯される無線カード２（図２参照）と、地下鉄などの交通機関に設置されているエスカレータ３の欄干４内に配置され、利用者の無線カード２と交信して利用者の位置を検出する多数の無線カード検出部５とを備えている。また、表示装置として、欄干４に近接した欄干横傾斜部６上に設置され、利用者に対する案内情報、広告情報などを表示する多数の表示装置７と、ホームの天井８などから吊り下げられ、利用者に対する案内情報、広告情報などを表示する表示装置９とを備えている。さらに、多数の案内情報、多数の広告情報などを記憶し、各無線カード検出部５の検出結果に基づき、案内情報、広告情報などを選択して、各表示装置７、９に表示させる表示制御装置１０と、無線カード２の識別コードに対応する行き先情報を生成して、行き先情報と識別コードとをＬＡＮ１１（図５参照）上に送出し、表示制御装置１０に供給する行き先登録装置１２（図５参照）と、ＬＡＮ１１に接続されている表示制御装置１０、行き先登録装置１２などとインターネット回線１３（図５参照）に接続されている誘導案内サービス装置１４（図５参照）、利用者端末装置１５（図５参照）などとを接続する遠隔情報送受信装置１６（図５参照）とを備えている。
【００１７】
無線カード２は、図２の断面図に示す如く利用者によって携帯自在な形状、大きさに形成されるカード筐体１７と、このカード筐体１７内に配置され、行き先登録装置１２、各無線カード検出部５と無線信号の授受を行う送受信部１８と、カード筐体１７内に配置され、行き先登録装置１２、各無線カード検出部５のいずれかから読み出し指令を含む無線信号が供給されたとき、記憶している識別コードを含んだ無線信号を送信する無線ＩＣ１９とを備えている。
【００１８】
各無線カード検出部５は、図２の断面図、図３の一部裁断平面図に示す如くエスカレータ３の欄干４部分に取り付けられた手摺りベルト支持用の各ローラ２１間に配置される検出部筐体２２と、検出部筐体２２内に配置され、読み出し指令を含む無線信号を送信しながら、通信範囲内に入った無線カード２から識別コードを含む無線信号が送信されたとき、これを受信して、識別コードを再生する薄型無線機２３とを備えている。
【００１９】
また、各表示装置７は、可撓性を持つ有機ＥＬディスプレイ、例えば図４の概略構成図に示す如く可撓性を持ち、欄干横傾斜部６上に配置可能なサイズに形成されるフレキシブル基板２５と、フレキシブル基板２５の発光部２６に配置され、駆動電圧が印加されているとき、発光する複数の有機ＥＬ（エレクトロルミネッセンス）素子２７と、フレキシブル基板２５に配置され、各有機ＥＬ素子２７のうち、入力されたデータに対応する各有機ＥＬ素子２７に駆動電圧を印加するデータ電極２８と、フレキシブル基板２５に配置され、各有機ＥＬ素子２７を順次、選択して、接地電圧を印加する走査電極２９と、フレキシブル基板２５〜走査電極２９全体に可撓性を持たせたまま、封止する透明フィルム３０とによって構成される有機ＥＬディスプレイ３１を備えている。
【００２０】
さらに、表示装置９は、図１に示す如く各表示装置７と同様な有機ＥＬディスプレイ、あるいは他のフィルム状ディスプレイなどように、吊り下げ可能な重さに形成された薄型ディスプレイ３３を備えており、信号線３２を介して、表示データが供給されたとき、薄型ディスプレイ３３を駆動して、案内情報、広告情報などを表示する。
【００２１】
また、表示制御装置１０は、図５のブロック図に示す如くＬＡＮ１１を介して、案内情報、広告情報、利用者が携帯する無線カード２の識別コード、利用者の行き先情報などが供給されたとき、これを取り込んで一時記憶する情報伝送インタフェース回路３４と、情報伝送インタフェース回路３４に一時記憶された新たな案内情報、広告情報などを取り込んで、記憶している案内情報、広告情報などを更新する案内情報記憶回路３５とを備えている。また、信号線２４を介して、各無線カード検出部５の検出結果を取り込んで、利用者の位置、無線カード２の識別コードを検出する利用者位置検出回路３６と、情報伝送インタフェース回路３４に取り込まれた無線カード２の識別コード、利用者の行き先情報などを取り込んで記憶し、利用者位置検出回路３６から出力される利用者の位置を示す利用者位置情報、無線カード２の識別コード、現在の時刻などに基づき、案内情報記憶回路３５から識別コードと対にされた行き先情報に対応する案内情報、広告情報などを読み出し、利用者位置情報と対応させた表示情報を生成するＣＰＵ回路３７と、ＣＰＵ回路３７から出力される表示情報に含まれる利用者位置情報に対応する表示装置７、９を選択し、信号線３２を介して、表示情報に含まれる案内情報、広告情報などの表示データを供給する表示処理回路４０とを備えている。
【００２２】
また、行き先登録装置１５は、交通機関の各ホーム、改札口近傍などに設置される箱状の装置筐体と、装置筐体の接客面に配置され、利用者によって、無線カード２が載せられた状態で、操作ボタンが操作されて、行き先が入力されたとき、読み出し指令を含む無線信号を送信して、無線カード２に記憶されている識別コードを取り込み、行き先情報と対応させる行き先登録部と、装置筐体内に配置され、行き先登録部で対応させられた識別コードと行き先情報とをＬＡＮ１１上に送出して、表示制御装置１０に供給する情報伝送インタフェース部とを備えている。
【００２３】
また、遠隔情報送受信装置１６は、交通機関の各駅などに配置される箱状の装置筐体と、装置筐体内に配置され、ＬＡＮ１１とインターネット回線１３との間の情報交換をサポートする通信インタフェース部とを備えており、インターネット回線１３を介して、案内情報、広告情報、識別コード、行き先情報などが供給されたとき、これを取り込んで、ＬＡＮ１１上に送出し、表示制御装置１０に供給する。
【００２４】
また、各利用者端末装置１５は、利用者が持っているパソコンと、パソコンに接続された無線カード読み取り機とを備えており、利用者によって、無線カード２がセットされて、行き先などが入力されたとき、無線カード２に記憶されている識別コードを読み出すとともに、行き先情報と対にした後、識別コードに対応する宛先情報を付加して、インターネット回線１３上に送出し、識別コードに対応した誘導案内サービス装置１４に供給する。
【００２５】
各誘導案内サービス装置１４は、交通機関のコントロールセンタなど配置されるサーバ装置などを備えており、オペレータなどによって入力された案内情報、広告情報などを記憶しながら、予め設定されている情報更新時刻になる毎に、記憶している案内情報、広告情報を読み出し、誘導案内サービス装置１４→インターネット回線１３→遠隔情報送受信装置１６→ＬＡＮ１１→表示制御装置１０なる経路で、表示制御装置１０に供給して、案内情報、広告情報などを更新させる。また、各利用者端末装置１５から識別コードと行き先情報とが出力され、利用者端末装置１５→インターネット回線１３→各誘導案内サービス装置１４なる経路で、誘導案内サービス装置１４に供給されたとき、これを取り込み、行き先情報に対応する遠隔情報送受信装置１６を選択して、誘導案内サービス装置１４→インターネット回線１３→遠隔情報送受信装置１６→ＬＡＮ１１→表示制御装置１０なる経路で、表示制御装置１０に供給して、識別コードと行き先情報とを登録させる。
【００２６】
次に、図１に示す概略構成図、図２に示す断面図、図３の一部裁断平面図、図４の概略構成図、図５に示すブロック図、図６に示すフローチャートを参照しながら、誘導案内システム１の動作を説明する。
【００２７】
まず、誘導案内システム１が稼働中において、予め設定されている情報更新時刻になる毎に、誘導案内サービス装置１４によって、新たな案内情報、広告情報が入力されているかどうかがチェックされる。オペレータなどにより、新たな案内情報、広告情報が入力されていれば（ステップＳ１）、これが読み出され、誘導案内サービス装置１４→インターネット回線１３→遠隔情報送受信装置１６→ＬＡＮ１１→表示制御装置１０なる経路で、表示制御装置１０の情報伝送インタフェース回路３４に供給されて、案内情報記憶回路３５に記憶されている案内情報、広告情報などが更新される（ステップＳ２）。
【００２８】
また、この動作と並行し、表示制御装置１０のＣＰＵ回路３７によって、各広告情報毎に設定されている時刻（更新時刻）になる毎に（ステップＳ３）、案内情報記憶回路３５に記憶されている広告情報が読み出され、新たな表示情報が生成されて、表示処理回路４０から出力される表示データの内容が更新され、各表示装置７、表示装置９で表示されている広告の内容が更新される（ステップＳ４）。
【００２９】
また、利用者端末装置１５を持っている利用者によって、自宅などに設置された利用者端末装置１５の無線カード読み取り機に無線カード２がセットされた後、パソコンのキーボード、マウスなどが操作されて、行き先などが入力されたとき、無線カード読み取り機によって、無線カード２に記憶されている識別コードが読み出されるとともに、行き先情報と対にされて、利用者端末装置１５→インターネット回線１３→誘導案内サーバ装置１４なる経路で、誘導案内サーバ装置１４に供給される。
【００３０】
そして、誘導案内サーバ装置１４によって、各遠隔情報送受信装置１６の中から、行き先情報に対応する遠隔情報送受信装置１６が選択されて、識別コード、行き先情報が出力され、誘導案内サーバ装置１４→インターネット回線１３→選択された遠隔情報送受信装置１６→ＬＡＮ１１→表示制御装置１０なる経路で、行き先に対応する表示制御装置１０の情報伝送インタフェース回路３４に供給され、ＣＰＵ回路３７に記憶される（ステップＳ５、Ｓ６）。
【００３１】
また、利用者が地下鉄の車両からホームに降りた時点で、利用者端末装置１５を持っていない利用者、あるいは行き先が分からない利用者によって、ホーム上に設置されている行き先登録装置１２に無線カード２がセットされ、行き先が入力されたとき、行き先登録装置１２によって、無線カード２に記憶されている識別コードが読み出されるとともに、行き先情報と対にされて、行き先登録装置１２→ＬＡＮ１１→表示制御装置１０なる経路で、表示制御装置１０の情報伝送インタフェース回路３４に供給され、ＣＰＵ回路３７に記憶される（ステップＳ５、Ｓ６）。
【００３２】
次いで、利用者がエスカレータ３に乗り、エスカレータ３の欄干４に設置されている各無線カード検出部５から出力される無線信号が利用者の無線カード２に受信され、この無線カード２から識別コードを含む無線信号が出力されて、各無線カード検出部５のいずれかによって受信されたとき、無線カード２からの無線信号を受信した無線カード検出部５によって、受信信号が復調されて、識別コードが再生され、無線カード検出部５→信号線２４→表示制御装置１０なる経路で、表示制御装置１０に供給される（ステップＳ７）。
【００３３】
この後、表示制御装置１０の利用者位置検出回路３６によって、識別コードを出力した無線カード検出部５の機器番号から、識別コードを出力した無線カード検出部５の取り付け位置（利用者の現在位置）が検出され、これが利用者の識別コードとともに、表示制御装置１０のＣＰＵ回路３７に供給される（ステップＳ８）。
【００３４】
次いで、表示制御装置１０のＣＰＵ回路３７によって、既に記憶している各利用者の識別コードがアクセスされて、利用者位置検出回路３６から出力される識別コードと同じ識別コードと対にされている行き先情報が読み出されるとともに、案内情報記憶回路３５に記憶されている各案内情報などアクセスされて、行き先情報に対応する案内情報などが読み出され、現在表示中の広告情報と、利用者に対する案内情報と、利用者位置情報とに対応した表示情報が作成される（ステップＳ９）。
【００３５】
そして、表示制御装置１０の表示処理回路４０によって、表示制御装置１０のＣＰＵ回路３７で作成された表示情報に含まれている案内情報、広告情報などに対応する表示データが生成されるとともに、表示情報に含まれている利用者位置情報に対応する表示装置７、９が選択され、表示制御装置１０→信号線３２→表示装置７、９なる経路で、利用者位置情報に対応する表示装置７、９に表示データが供給され、エスカレータ３の欄干横傾斜部６上に設置された各表示装置７うち、利用者の現在位置から進行方向に対応する表示装置７と、エスカレータ３の進行方向にある表示装置９とに、利用者に対する案内情報、広告情報などが表示される（ステップＳ１０）。
【００３６】
以下、利用者がエスカレータ３に乗る毎に、上述した動作が繰り返されて、エスカレータ３の欄干横傾斜部６上に設置された各表示装置７うち、利用者の現在位置から進行方向にある各表示装置７と、エスカレータ３の進行方向にある表示装置９とに、利用者に対する案内情報、広告情報などが表示され、登録している行き先まで、案内される。
【００３７】
このように、この実施形態では、行き先登録装置１２、利用者端末装置１５などによって、利用者が携帯している無線カード２の識別コードと、行き先情報とを取り込ませて、表示制御装置１０に登録させ、利用者がエスカレータ３に乗っているとき、表示制御装置１０によって、登録されている識別コード、案内情報をアクセスさせて、利用者が携帯している無線カード２の識別コードに対応する案内情報を選択させ、欄干横傾斜部６に設けられた、折り曲げ自在な有機ＥＬディスプレイ３１を持つ多数の表示装置７と、天井から吊された表示装置９とに案内情報を表示させるようにしている。このため、エスカレータ３の欄干横傾斜部６など、エスカレータ３周りの美観を損なうことがない場所に表示装置７を取り付けさせて、エスカレータ３の各利用者に、行き先経路を知らせ、利用者の利便性を飛躍的に向上させることができる。
【００３８】
また、この実施形態では、行き先登録装置１２、利用者端末装置１５などによって、利用者が携帯している無線カード２の識別コードと、行き先情報とを取り込ませて、表示制御装置１０に登録させ、エスカレータ３の欄干４内に配置された各無線カード検出部５のいずれかによって、利用者が携帯する無線カード２が検出されたとき、表示制御装置１０によって、無線カード２を検出した無線カード検出部５の機器番号から、利用者の位置を判定させ、利用者の進行方向にある各表示装置７、表示装置９に案内情報を表示させるようにしている。このため、エスカレータ３の欄干横傾斜部６など、エスカレータ３周りの美観を損なうことがない場所に設置された各表示装置７のうち、利用者の位置に応じた表示装置７にのみ、各利用者の行き先経路を表示させて、利用者の利便性を飛躍的に向上させることができる。
【００３９】
また、この実施形態では、駅のホーム、改札口近傍などに配置された行き先登録装置１２に無線カード２がセットされて、行き先情報が入力されたとき、行き先登録装置１２→ＬＡＮ１１→表示制御装置１０なる経路で、表示制御装置１０に供給させて、登録させ、エスカレータ３の欄干４内に配置された各無線カード検出部５のいずれかによって、利用者が携帯する無線カード２が検出されたとき、表示制御装置１０によって、無線カード２を検出した無線カード検出部５の機器番号から、利用者の位置を判定させ、利用者の進行方向にある各表示装置７、表示装置９に案内情報を表示させるようにしている。このため、駅のホーム上、ビルの中、駅の改札口など、利用者が利用しやすい場所に配置された行き先登録装置１２に行き先を入力させておくだけで、利用者がエスカレータ３を利用したとき、利用者の位置に応じた表示装置７、９に、利用者の行き先経路を表示させて、利用者の利便性を飛躍的に向上させることができる。
【００４０】
また、この実施形態では、利用者の自宅などに設置されている利用者端末装置１５に無線カード２がセットされて、行き先情報が入力されたとき、無線カード２の識別コードと、行き先情報とを対にさせて、利用者端末装置１５→インターネット回線１３→誘導案内サービス装置１４→インターネット回線１３→遠隔情報伝送受信装置１６→ＬＡＮ１１→表示制御装置１０なる経路で、表示制御装置１０に供給させて、登録させ、エスカレータ３の欄干４内に配置された各無線カード検出部５のいずれかによって、利用者が携帯する無線カード２が検出されたとき、表示制御装置１０によって、無線カード２を検出した無線カード検出部５の機器番号から、利用者の位置を判定させ、利用者の進行方向にある各表示装置７、表示装置９に案内情報を表示させるようにしている。このため、利用者の自宅などに設置されたパソコンなどに、行き先を入力しておくだけで、利用者がエスカレータ３を利用したとき、利用者の位置に応じた表示装置７、９に、利用者の行き先経路を表示させることができ、これによって利用者の利便性を飛躍的に向上させることができる。
【００４１】
また、この実施形態では、表示制御装置１０のＣＰＵ回路３７によって、各広告情報毎に設定されている時刻（更新時刻）になる毎に、案内情報記憶回路３５に記憶されている広告情報を読み出させて、新たな表示情報を生成させ、表示処理回路４０から出力される表示データの内容を更新させ、各表示装置７、表示装置９で表示されている広告の内容を更新させるようにしている。このため、利用者の行き先経路を表示させて、利用者の利便性を飛躍的に向上させながら、予め設定されている時刻になる毎、あるいは予め設定されている期間が経過する毎に、エスカレータ３の欄干横傾斜部６、あるいはエスカレータ３の近傍に設置されている各表示装置７、９に表示される案内情報、広告情報を更新させて、案内効果、広告効果を向上させることができる。
【００４２】
《他の実施形態の説明》
上述した実施形態では、利用者がエスカレータ３に乗っているとき、案内情報とともに、広告情報を表示させるようにしているが、利用者がエスカレータ３に乗った直後から降りる中程まで、広告を表示させ、中程から降りるときまで、案内情報を表示させるようにしても良い。
【００４３】
このようにすることにより、利用者が分岐場所にいるときなど、案内情報の必要な場所にいるとき、行き先を知らせ、それ以外の場所にいるとき、広告情報などを知らせて、より一層、広告効果を向上させることができる。
【００４４】
また、上述した実施形態では、利用者端末装置１５、行き先登録装置１２に利用者の行き先情報を入力させるようにしているが、他の情報、例えば待ち合わせ対象となっている人が携帯している無線カード２の識別コードなどを入力させ、各エスカレータ３に設けられた各無線カード検出部５によって、利用者が携帯している無線カード２と、待ち合わせ対象者が携帯する無線カード２とを各々、検出しているとき、利用者の位置に対応する各表示装置７、９に、待ち合わせて対象者に出会うまでの経路を表示させるようにしても良い。
【００４５】
このようにすることにより、利用者の自宅などに設置されたパソコン、または駅などに設置された行き先登録装置１２に待ち合わせ者が携帯する無線カード２の識別コードなどを入力しておくだけで、利用者がエスカレータ３を利用したとき、利用者の位置に応じた表示装置７、９に、利用者に対する案内情報を表示させて、待ち合わせ者がいる場所まで、利用者を案内させて、利用者の利便性を飛躍的に向上させることができる。
【００４６】
また、上述した実施形態では、各表示装置７、９に利用者に対する案内情報とともに、広告情報などを表示させるようにしているが、このような広告情報に代えて、他の情報、例えば車両の運行状況、天気情報、あるいは動画形式の広告情報、静止画と動画とを組み合わせた情報などを表示させるようにしても良い。
【図面の簡単な説明】
【００４７】
【図１】本発明による誘導案内システムの一実施形態を示す概略構成図である。
【図２】図１に示す欄干部分の詳細な構成例を示す断面図である。
【図３】図１に示す欄干部分の詳細な構成例を示す一部裁断平面図である。
【図４】図１に示す欄干横傾斜部に設けられた各表示装置の構成例を示す概略構成図である。
【図５】図１に示す誘導案内システムの回路構成例を示すブロック図である。
【図６】図１に示す誘導案内システムの動作例を示すフローチャートである。
【符号の説明】
【００４８】
１：誘導案内システム
２：無線カード
３：エスカレータ
４：欄干
５：無線カード検出部
６：欄干横傾斜部
７：表示装置
８：天井
９：表示装置
１０：表示制御装置
１１：ＬＡＮ
１２：行き先登録装置
１３：インターネット回線
１４：誘導案内サービス装置
１５：利用者端末装置
１６：遠隔情報送受信装置
１７：カード筐体
１８：送受信部
１９：無線ＩＣ
２０：手摺りベルト
２１：ローラ
２２：検出部筐体
２３：薄型無線機
２４：信号線
２５：フレキシブル基板
２６：発光部
２７：有機ＥＬ素子
２８：データ電極
２９：走査電極
３０：透明フィルム
３１：有機ＥＬディスプレイ
３２：信号線
３３：薄型ディスプレイ
３４：情報伝送インタフェース回路
３５：案内情報記憶回路
３６：利用者位置検出回路
３７：ＣＰＵ回路
４０：表示処理回路
【図１】
2006082945.tif 000003
【図２】
2006082945.tif 000004
【図３】
2006082945.tif 000005
【図４】
2006082945.tif 000006
【図５】
2006082945.tif 000007
【図６】
2006082945.tif 000008